(57)【要約】【課題】  プリンタ部１００の上部にスキャナ部２００が揺動可能に組み付けられた画像形成装置において、係合片３０７の破損を抑制する。【解決手段】  スキャナ部２００が開放ポジションから閉塞ポジションに揺動変位する際に、係合片３０７が穴部３０６又はその周囲に接触する前に凸部３０２の側壁３０２Ｂが凹部３０４の内壁３０４Ｂに接触する構成とする。これにより、スキャナ部２００が開放ポジションから閉塞ポジションに揺動変位する際の衝撃力は主に側壁３０２Ｂ都内壁との接触部で受けることとなる。したがって、係合片３０７に作用する衝撃力を緩和することができるので、係合片３０７の破損を抑制することができる。【選択図】図９
2010276781.tif 000002
【特許請求の範囲】
【請求項１】
シートに画像を形成するとともに、上部に画像形成が終了したシートが排出される排出トレイが設けられたプリンタ部と、
原稿に記載された画像を読み取るとともに、前記排出トレイの上方側を閉塞する閉塞ポジションと、前記排出トレイの上方側を開放する開放ポジションとの間で前記プリンタ部に対して揺動可能なスキャナ部と、
前記プリンタ部及び前記スキャナ部のうちいずれか一方に設けられて他方側に突出する凸部、及び前記他方側に設けられて前記閉塞ポジション時に前記凸部が填り込む凹部を有し、前記プリンタ部に対する前記スキャナ部の位置を決める位置決め手段と、
前記凸部の先端部及び前記凹部の底部のうちいずれか一方側に設けられた係合用の穴部、並びに他方側に設けられて前記閉塞ポジション時に前記穴部に填り込んで係合する弾性変形可能な係合片を有し、前記閉塞ポジションを保持するためのロック手段とを備え、
前記凸部には、前記スキャナ部が前記開放ポジションから前記閉塞ポジションに揺動変位する際に、前記凹部に接触する接触部が設けられており、
さらに、前記位置決め手段及び前記ロック手段は、前記スキャナ部が前記開放ポジションから前記閉塞ポジションに揺動変位する際に、前記係合片が前記穴部又はその周囲に接触するより先に前記接触部が前記凹部に接触するように構成されていることを特徴とする画像形成装置。
【請求項２】
前記接触部は、前記凸部の側面に設定されて前記凹部の内壁に接触し、
前記内壁のうち前記接触部と接触する部位及び前記接触部は、前記スキャナ部の揺動中心軸と平行な方向から見て、前記スキャナ部の揺動中心を曲率中心とする円弧状に形成されていることを特徴とする請求項１に記載の画像形成装置。
【請求項３】
前記凸部の側壁は、その突出方向に平行な中心軸に対して回転対称となる形状に構成されており、
さらに、前記凹部の内壁は、その陥没方向に平行な中心軸に対して回転対称となる形状に構成されていることを特徴とする請求項２に記載の画像形成装置。
【請求項４】
前記スキャナ部がその揺動中心から離間する向きに変位することを抑制する弾性力を前記スキャナ部に作用させる弾性手段を備えることを特徴とする請求項３に記載の画像形成装置。
【請求項５】
前記スキャナ部の揺動中心は、前記凸部の下端部より低い位置に設定されていることを特徴とする請求項４に記載の画像形成装置。
【請求項６】
前記係合片は、前記スキャナ部の揺動中心軸と平行な方向に開閉するように弾性変形する略パンタグラフ状のものであることを特徴とする請求項１ないし５のいずれか１つに記載の画像形成装置。
【発明の詳細な説明】
【技術分野】
【０００１】
本発明は、プリンタ部の上部にスキャナ部が揺動可能に組み付けられた画像形成装置に関するものである。
【背景技術】
【０００２】
プリンタ部の上部にスキャナ部が揺動可能に組み付けられた画像形成装置として、例えば、特許文献１に記載の発明では、プリンタ部に対してスキャナ部を位置決めするためのドーム状の位置決め部が設けられ、かつ、ユーザがスキャナ部を操作する際にスキャナ部が開くように揺動してしまうことを防止するロック片が設けられている。
【先行技術文献】
【特許文献】
【０００３】
【特許文献１】特開２００６−１１９４７４号公報
【発明の概要】
【発明が解決しようとする課題】
【０００４】
しかし、特許文献１に記載の発明では、スキャナ部を閉じる際に、ロック片が位置決め部に衝突して衝撃を受けてしまうので、衝突時の衝撃によってロック片が破損してしまうおそれがある。
【０００５】
本願発明は、上記点に鑑み、プリンタ部の上部にスキャナ部が揺動可能に組み付けられた画像形成装置において、ロック片等の係合片の破損を抑制する技術を提供することを目的とする。
【課題を解決するための手段】
【０００６】
本発明は、上記目的を達成するために、請求項１に記載の発明では、シートに画像を形成するとともに、上部に画像形成が終了したシートが排出される排出トレイ（１０１）が設けられたプリンタ部（１００）と、原稿に記載された画像を読み取るとともに、排出トレイ（１０１）の上方側を閉塞する閉塞ポジションと、排出トレイ（１０１）の上方側を開放する開放ポジションとの間でプリンタ部（１００）に対して揺動可能なスキャナ部（２００）と、プリンタ部（１００）及びスキャナ部（２００）のうちいずれか一方に設けられて他方側に突出する凸部（３０２）、及び他方側に設けられて閉塞ポジション時に凸部（３０２）が填り込む凹部（３０４）を有し、プリンタ部（１００）に対するスキャナ部（２００）の位置を決める位置決め手段（３０１）と、凸部（３０２）の先端部（３０２Ａ）及び凹部（３０４）の底部（３０４Ａ）のうちいずれか一方側に設けられた係合用の穴部（３０６）、並びに他方側に設けられて閉塞ポジション時に穴部（３０６）に填り込んで係合する弾性変形可能な係合片（３０７）を有し、閉塞ポジションを保持するためのロック手段（３００）とを備え、凸部（３０２）には、スキャナ部（２００）が開放ポジションから閉塞ポジションに揺動変位する際に、凹部（３０４）に接触する接触部（３０２Ｂ）が設けられており、さらに、位置決め手段（３０１）及びロック手段（３００）は、スキャナ部（２００）が開放ポジションから閉塞ポジションに揺動変位する際に、係合片（３０７）が穴部（３０６）又はその周囲に接触するより先に接触部（３０２Ｂ）が凹部（３０４）に接触するように構成されていることを特徴とする。
【０００７】
これにより、請求項１に記載の発明では、スキャナ部（２００）が開放ポジションから閉塞ポジションに揺動変位する際に、係合片（３０７）が穴部（３０６）又はその周囲に接触する前に接触部（３０２Ｂ）が凹部（３０４）に接触するので、スキャナ部（２００）が開放ポジションから閉塞ポジションに揺動変位する際の衝撃力は、主に接触部（３０２Ｂ）で受けることとなる。したがって、係合片（３０７）に作用する衝撃力を緩和することができるので、係合片（３０７）の破損を抑制することができる。
【０００８】
また、請求項２に記載の発明では、接触部（３０２Ｂ）は、凸部（３０２）の側面に設定されて凹部（３０４）の内壁（３０４Ｂ）に接触し、内壁（３０４Ｂ）のうち接触部（３０２Ｂ）と接触する部位及び接触部（３０２Ｂ）は、スキャナ部（２００）の揺動中心軸と平行な方向から見て、スキャナ部（２００）の揺動中心を曲率中心とする円弧状に形成されていることを特徴とする。
【０００９】
これにより、請求項２に記載の発明では、接触部（３０２Ｂ）と凹部（３０４）の内壁（３０４Ｂ）とを接触させながら滑らかに、凹部（３０４）を凸部（３０２）に対して相対的に変位させることができるので、接触部（３０２Ｂ）と接触する部位及び接触部（３０２Ｂ）を案内部として機能させることができる。したがって、請求項２に記載の発明では、別途、案内部を設ける必要がないので、凸部（３０２）の突出寸法及び凹部（３０４）の陥没寸法が大きくなってしまうことを抑制できる。
【００１０】
なお、特許文献１に記載の発明に係る案内部は、スキャナ部（２００）の揺動中心を曲率中心とする場合に比べて大きな曲率を有する曲面に構成されており、かつ、この案内部が別途設けられているので、請求項２に記載の発明に比べて、凸部（３０２）の突出寸法及び凹部（３０４）の陥没寸法を小さくすることが難しい。
【００１１】
また、請求項３に記載の発明では、凸部（３０２）の側壁は、その突出方向に平行な中心軸（Ｌ１）に対して回転対称となる形状に構成されており、さらに、凹部（３０４）の内壁は、その陥没方向に平行な中心軸（Ｌ１）に対して回転対称となる形状に構成されていることを特徴とする。
【００１２】
これにより、請求項３に記載の発明では、凸部（３０２）及び凹部（３０４）を容易に成形することができる。
また、請求項４に記載の発明では、スキャナ部（２００）がその揺動中心（Ｏ１）から離間する向きに変位することを抑制する弾性力をスキャナ部（２００）に作用させる弾性手段（１０５）を備えることを特徴とする。
【００１３】
これにより、請求項４に記載の発明では、スキャナ部（２００）が開放ポジションから閉塞ポジションに揺動変位する際に、凸部（３０２）の側面のうち揺動中心（Ｏ１）から離れた部位、つまり凸部（３０２）の揺動端側の側面と、凹部（３０４）の揺動端側の内壁とを確実に接触させることができるので、凸部（３０２）が滑らかに凹部（３０４）に填め込む。したがって、容易かつ確実にスキャナ部（２００）を位置決めすることができる。
【００１４】
また、請求項５に記載の発明では、スキャナ部（２００）の揺動中心（Ｏ１）は、凸部（３０２）の下端部（３０２Ｃ）より低い位置に設定されていることを特徴とする。
これにより、請求項５に記載の発明では、凸部（３０２）及び凹部（３０４）の全体外形状を、開放ポジションから閉塞ポジションに向かうほど、外形寸法が拡大するような略テーパ状とすることができるので、凸部（３０２）が確実に凹部（３０４）に填り込むように凸部（３０２）を凹部（３０４）に誘い込むことができる。
【００１５】
また、請求項６に記載の発明では、係合片（３０７）は、スキャナ部（２００）の揺動中心軸と平行な方向に開閉するように弾性変形する略パンタグラフ状のものであることを特徴とする。
【００１６】
これにより、請求項６に係る係合片（３０７）は、揺動中心軸と平行な方向で穴部（３０６）と係合する構成となるので、スキャナ部（２００）が開放ポジションから閉塞ポジションに揺動変位する際に、２箇所の係合部をほぼ同時に穴部（３０６）に接触させることができる。
【００１７】
したがって、それら２箇所の係合部のうちいずれか一方のみに大きな衝撃力が作用してしまうことを抑制できるので、係合片（３０７）が早期に破損してしまうことを抑制できる。
【００１８】
因みに、上記各手段等の括弧内の符号は、後述する実施形態に記載の具体的手段等との対応関係を示す一例であり、本発明は上記各手段等の括弧内の符号に示された具体的手等に限定されるものではない。
【図面の簡単な説明】
【００１９】
【図１】本発明の実施形態に係る画像形成装置１の外観斜視図である。
【図２】本発明の実施形態に係る画像形成装置１において、原稿カバー２０３を開いた状態を示す斜視図である。
【図３】本発明の実施形態に係る画像形成装置１において、スキャナ部２００を開いた状態を示す斜視図である。
【図４】本発明の実施形態に係る画像形成装置１において、原稿台２０１がトップカバー１０２に対して開放ポジションとなった状態を示す斜視図である。なお、本図においては、原稿台２０１及びトップカバー１０２の骨格部のみ示しており、その他の部材は省略している。
【図５】本発明の実施形態に係るプリンタ部１００の上面図である。
【図６】本発明の実施形態に係る画像形成装置１において、原稿台２０１がトップカバー１０２に対して開放ポジションとなった状態を示す側面図である。なお、本図においては、原稿台２０１及びトップカバー１０２の骨格部のみ示しており、その他の部材は省略している。
【図７】本発明の実施形態に係る画像形成装置１において、原稿台２０１がトップカバー１０２に対して閉塞ポジションへ揺動する際の状態を示す側面図である。なお、本図においては、原稿台２０１及びトップカバー１０２の骨格部のみ示しており、その他の部材は省略している。
【図８】本発明の実施形態に係る画像形成装置１において、原稿台２０１がトップカバー１０２に対して閉塞ポジションとなった状態を示す側面図である。なお、本図においては、原稿台２０１及びトップカバー１０２の骨格部のみ示しており、その他の部材は省略している。
【図９】（ａ）は図７のＡ部拡大図であり、（ｂ）は図９（ａ）を紙面右側から見た図である。
【図１０】（ａ）は図８のＡ部拡大図であり、（ｂ）は図１０（ａ）を紙面右側から見た図である。
【発明を実施するための形態】
【００２０】
本実施形態は、スキャナ部（画像読取装置）及びプリンタ部（画像形成部）を兼ね備える画像形成装置（複合機）に本発明を適用したものであり、以下に本実施形態を図面と共に説明する。
【００２１】
１．画像形成装置の概略構成
本実施形態に係る画像形成装置１は、図１に示すように、印刷用紙等のシートに画像を形成するプリンタ部１００の上方側に、原稿に記載された文字等の画像を読み取るスキャナ部２００が設けられたものである。
【００２２】
そして、本実施形態に係るプリンタ部１００は、現像剤をシートの転写することにより、シートに画像を形成する電子写真方式の画像形成手段であり、このプリンタ部１００の上部を覆うトップカバー１０２には、画像形成が終了したシートが排出される排出トレイ１０１が設けられている。
【００２３】
また、スキャナ部２００は、静止状態で載置された原稿を読み取る静止原稿読取機能（フラットベッド読取機能）、及び自動搬送されてきた原稿を読み取る自動搬送原稿読取機能（ＡＤＦ読取機能）を有しており、スキャナ部２００の原稿台２０１には、図２に示すように、静止原稿読取機能用の第１読取窓２０２Ａが設けられている。
【００２４】
そして、原稿台２０１の上面側には、第１読取窓２０２Ａを上方側から覆うポジション（図１に示す状態）と第１読取窓２０２Ａの上方側を開放するポジション（図２に示す状態）との間で揺動変位する原稿カバー２０３がヒンジ２０３Ａを介して組み付けられている。なお、静止原稿読取機能を用いて原稿読取を行う場合には、ユーザが手動操作にて原稿カバー２０３を上方側に開いて第１読取窓２０２Ａに原稿を載置する必要がある。
【００２５】
また、第１読取窓２０２Ａの下方側には、原稿に照射されて反射した光を受光し、その受光した光に基づいて電気信号を発する画像撮像素子（図示せず。）が配設されており、スキャナ部２００は、画像撮像素子を介して原稿に記載された文字等の画像を電気信号に変換して画像を読み取っていく。
【００２６】
なお、画像撮像素子は、原稿台２０１の長手方向（図２の左右方向）に移動可能に原稿台２０１に組み付けられており、この画像撮像素子は、自動搬送原稿読取機能の作動時には、自動搬送原稿読取機能用の第２読取窓２０２Ｂの直下に停止配置された状態で第２読取窓２０２Ｂ上を通過していく原稿の画像を読み取る。一方、静止原稿読取機能作動時には、第１読取窓２０２Ａの直下で移動しながら第１読取窓２０２Ａに載置された原稿の画像を読み込んでいく。
【００２７】
また、原稿カバー２０３のうち第２読取窓２０２Ｂに対応する部位には、図１に示すように、原稿を自動搬送する原稿搬送機構（オートドキュメントフィーダ）２０４が設けられており、この原稿搬送機構２０４は、原稿カバー２０３の上面部に設定された原稿トレイ２０５に載置された原稿を１枚ずつ第２読取窓２０２Ｂに向けて自動搬送するとともに、読み取りが完了した原稿を原稿トレイ２０５の上方側に設けられた排出トレイ２０６に自動排出するものである。
【００２８】
そして、スキャナ部２００は、排出トレイ１０１の上方側を閉塞する閉塞ポジション（図１に示す状態）と、排出トレイ１０１の上方側を開放する開放ポジション（図３に示す状態）との間で揺動可能となるようにプリンタ部１００のトップカバー１０２に組み付けられている。
【００２９】
具体的には、原稿台２０１とトップカバー１０２とは、図６に示すように、原稿カバー２０３用のヒンジ２０３Ａと同一側（本実施形態では、後方側）に設けられたヒンジ機構１０３を介して揺動可能に組み付けられており、このヒンジ機構１０３は、トップカバー１０２に設けられた揺動軸１０３Ａ及びこの揺動軸１０３Ａに対して回転可能に組み付けられた略Ｃ字状の係合部１０３Ｂ等から構成されている。
【００３０】
因みに、本実施形態では、ヒンジ機構１０３は、トップカバー１０２のうち揺動軸１０３Ａの軸方向と平行な方向（本実施形態では、左右方向）に２箇所に設けられている。
また、ヒンジ機構１０３から揺動軸１０３Ａと直交する方向（本実施形態では、前後方向）にずれた部位には、図６に示すように、原稿台２０１を保持するためのアーム１０４が設けられており、このアーム１０４の一端側は、原稿台２０１に揺動可能に組み付けられ、その他端側は、案内溝１０４Ａを介してトップカバー１０２に対して前後方向に移動可能に組み付けられている。
【００３１】
そして、アーム１０４の他端側にはバネ１０５が連結されており、このバネ１０５により、アーム１０４の他端側には、常に、ヒンジ機構１０３側に向かう向きの弾性力Ｆが作用する。このため、閉塞ポジションにおいては、スキャナ部２００がその揺動中心Ｏ１から離間する向きに変位することを抑制する弾性力がスキャナ部２００に作用し、開放ポジションにおいては、アーム１０４を所定位置に保持するための弾性力がアーム１０４に作用する。
【００３２】
つまり、バネ１０５の弾性力Ｆ１は、アーム１０４の他端側からヒンジ機構１０３側に向かう向きの力であるので、閉塞ポジションにおいては、図８に示すように、アーム１０４の長手方向と弾性力Ｆ１の向きとが平行に近づくとともに、アーム１０４の一端側（原稿台２０１との連結部）が他端側よりヒンジ機構１０３側に位置するので、原稿台２０１は、弾性力Ｆ１によりヒンジ機構１０３側に付勢される。
【００３３】
また、開放ポジションとなると、図６に示すように、アーム１０４の他端側は、弾性力Ｆ１により案内溝１０４Ａのヒンジ機構１０３側端部に押し付けられ、アーム１０４の他端側の位置が規制されるので、アーム１０４の位置が所定位置に保持されて開放ポジションが保持される。
【００３４】
ところで仮に、シートが小型である場合には、画像形成が終了したシートが、排出トレイ１０１のうちヒンジ機構１０３側（本実施形態では、後方側）に載置されてしまうが、スキャナ部２００が閉塞ポジションにあるときは、図１に示すように、排出トレイ１０１は、その上部がスキャナ部２００により閉塞された状態となるので、後方側に載置されたシートを取り出すことが難しい可能性がある。
【００３５】
しかし、本実施形態に係る画像形成装置１では、スキャナ部２００がプリンタ部１００（トップカバー１０２）に対して揺動可能となっているので、スキャナ部２００を開放ポジションとすることにより、排出トレイ１０１の上方側を開放することができ、シートが排出トレイ１０１の後方側に載置された場合であっても、そのシートを容易に取り出すことができる。
【００３６】
また、静止原稿読取機能を用いて原稿読取を行う場合には、前述したように、原稿カバー２０３を上方側に開いて第１読取窓２０２Ａに原稿を載置する必要があるが、原稿カバー２０３を開く際の操作力により原稿台２０１も開放ポジション側に揺動してしまうおそれがある。
【００３７】
そこで、本実施形態に係る画像形成装置１では、ユーザがスキャナ部２００を操作する際にスキャナ部２００が開くように揺動してしまうことを防止するロック機構３００（図１０（ｂ）参照）、及びプリンタ部１００に対してスキャナ部２００を位置決めする位置決め機構３０１（図１０（ｂ）参照）を設けている。
【００３８】
２．ロック機構及び位置決め機構の構造
位置決め機構３０１は、図４に示すように、プリンタ部１００（トップカバー１０２）に設けられた凸部３０２、３０３、及びスキャナ部２００（原稿台２０１）に設けられた凹部３０４、３０５を有して構成されている。
【００３９】
凸部３０２、３０３は、トップカバー１０２の上面からスキャナ部２００（原稿台２０１）側に突出し、凹部３０４、３０５は、原稿台２０１の下面（トップカバー１０２との合わせ面）から凸部３０２、３０３の突出の向き（本実施形態では、上向き）に窪んでいる。そして、閉塞ポジション時に凸部３０２、３０３それぞれが凹部３０４、３０５に填り込むことにより、プリンタ部１００に対するスキャナ部２００の位置か決められる。
【００４０】
ところで、本実施形態では、位置決め機構３０１、つまり凸部３０２、３０３及び凹部３０４、３０５は、排出トレイ１０１を挟んで揺動軸１０３Ａと反対側（本実施形態では、前端側）であって、排出トレイ１０１を挟んで左右両側それぞれに設けられている。
【００４１】
そして、左右両側に設けられた位置決め機構３０１のうち、一方側（本実施形態では、左側）の位置決め機構３０１（凸部３０２、凹部３０４）には、ロック機構３００が設けられ、他方側（本実施形態では、右側）の位置決め機構３０１（凸部３０３、凹部３０５）には、ロック機構３００が設けられておらず、凸部３０３及び凹部３０５は共にドーム（半球）状に構成されている。
【００４２】
また、凸部３０２の側壁３０２Ｂは、図６に示すように、揺動軸１０３Ａと平行な方向（本実施形態では左右方向）から見て、スキャナ部２００の揺動中心Ｏ１を曲率中心とし、かつ、揺動中心Ｏ１から凸部３０２の根元部までの寸法Ｒを曲率半径とする円弧状に形成されているとともに、図４及び図５に示すように、その突出方向に平行な中心軸Ｌ１（図１０（ａ）参照）に対して回転対称となる形状に構成されている。
【００４３】
そして、スキャナ部２００の揺動中心Ｏ１は、図６に示すように、凸部３０２の下端部３０２Ｃより低い位置に設定されている。このため、凸部３０２は、根元側から先端側に向かうほど、中心軸Ｌ１と直行する方向の外形寸法Ｗ１（図９（ａ）参照）が縮小するような略円錐テーパ状となっている。
【００４４】
一方、凹部３０４の内壁３０４Ｂは、凸部３０２の側壁３０２Ｂと略同一寸法となる相似形状に形成されている。つまり、内壁３０４Ｂも、図６に示すように、左右方向から見て、揺動中心Ｏ１を曲率中心とし、かつ、その曲率半径をＲとした円弧状に形成されているとともに、その陥没方向に平行な中心軸Ｌ１（図１０（ａ）参照）に対して回転対称となる形状に構成されている。
【００４５】
このため、凹部３０４の内壁３０４Ｂは、その底部３０４Ａから開口部側に向かうほど、中心軸Ｌ１と直行する方向の外形寸法Ｗ２（図９（ａ）参照）が拡大するような略円錐テーパ状となっている。
【００４６】
また、ロック機構３００は、図９（ａ）及び図９（ｂ）に示すように、凸部３０２の先端部３０２Ａに設けられた係合用の穴部３０６、及び凹部３０４の底部３０４Ａに設けられた弾性変形可能な係合片３０７を有して構成されている。
【００４７】
そして、穴部３０６の周囲には、凸部３０２の先端部３０２Ａからその根元側に向かうほど穴径φ１が縮小するような、すり鉢状のテーパ部３０６Ａが設けられ、一方、係合片３０７は、図９（ｂ）及び図１０（ｂ）に示すように、弾性変形可能な菱形部３０７Ａが設けられた略パンタグラフ状に構成されている。
【００４８】
また、菱形部３０７Ａは、揺動軸１０３Ａと平行な方向（本実施形態では、左右方向）に開閉するように弾性変形する係合部であり、この菱形部３０７Ａが、図１０（ｂ）に示すように、穴部３０６と係合することにより係合片３０７と穴部３０６と係合することとなる。
【００４９】
このため、スキャナ部２００が開放ポジションから閉塞ポジションに揺動するとき、つまりスキャナ部２００が閉じられるときには、図９（ｂ）に示すように、菱形部３０７Ａがテーパ部３０６Ａにより案内されながら絞られるように弾性変形して左右方向寸法Ｗ３が縮小していく。
【００５０】
そして、スキャナ部２００が閉塞ポジションとなると、菱形部３０７Ａが穴部３０６を貫通してその左右方向寸法Ｗ３が元の寸法に拡大変形するため、図１０（ｂ）に示すように、係合片３０７が穴部３０６に填り込んで係合し、閉塞ポジションが保持される。
【００５１】
また、凹部３０４の内壁３０４Ｂは、凸部３０２の側壁３０２Ｂと略同一寸法となる相似形状に形成されているため、凸部３０２が凹部３０４に填り込み、凸部３０２の側壁３０２Ｂと凹部３０４の内壁３０４Ｂとが接触すると、スキャナ部２００は、図８に示すように、プリンタ部１００に対して大きくガタツクことなく位置決めされる。
【００５２】
さらに、本実施形態では、スキャナ部２００が開放ポジションから閉塞ポジションに揺動変位する際に、係合片３０７が穴部３０６又はその周囲（テーパ部３０６Ａ等）に接触するより先に凸部３０２の側壁３０２Ｂと凹部３０４の内壁３０４Ｂとが接触するように構成されている。
【００５３】
具体的には、スキャナ部２００が開放ポジションから閉塞ポジションに揺動変位する際に、図９（ａ）に示すように、側壁３０２Ｂのうち凸部３０２の先端側であって、ヒンジ機構１０３側と反対側の側壁部分Ａと、内壁３０４Ｂのうち側壁部分Ａに対応する部位とが最初に接触するように、側壁３０２Ｂの高さＨ１及び内壁３０４Ｂの深さＤ１が設定されている。
【００５４】
そして、側壁３０２Ｂと内壁３０４Ｂとが接触すると、スキャナ部２００は、プリンタ部１００に対して大きくガタツクことなく位置決めされるとともに、その位置決め状態が保持されたまま揺動し、その後、菱形部３０７Ａがテーパ部３０６Ａに接触して案内されながら弾性変形し、係合片３０７と穴部３０６との係合が完了する（図１０（ａ）及び図１０（ｂ）参照）。
【００５５】
なお、スキャナ部２００は、揺動中心Ｏ１を中心として揺動（回転）しているので、側壁３０２Ｂ及び内壁３０４Ｂのうち、揺動軸１０３Ａと平行な方向においては、図９（ｂ）に示すように、原則として、側壁３０２Ｂと内壁３０４Ｂとは接触しないが、寸法バラツキによっては接触する場合もある。
【００５６】
３．本実施形態に係る画像形成装置の特徴
本実施形態では、前述したように、スキャナ部２００が開放ポジションから閉塞ポジションに揺動変位する際に、係合片３０７が穴部３０６又はその周囲に接触する前に凸部３０２の側壁３０２Ｂが凹部３０４の内壁３０４Ｂに接触するので、スキャナ部２００が開放ポジションから閉塞ポジションに揺動変位する際の衝撃力は、主に側壁３０２Ｂ都内壁との接触部で受けることとなる。したがって、係合片３０７に作用する衝撃力を緩和することができるので、係合片３０７の破損を抑制することができる。
【００５７】
また、本実施形態では、少なくとも、凹部３０４の内壁３０４Ｂのうち開放ポジションから閉塞ポジションに揺動変位する際に凸部３０２の側壁３０２Ｂと接触する部位、及び凸部３０２の側壁３０２Ｂのうち最初に凹部３０４の内壁３０４Ｂに接触する部位は、図６及び図７に示すように、スキャナ部２００の揺動中心Ｏ１を曲率中心とする円弧状に形成されているので、側壁３０２Ｂと内壁３０４Ｂとを接触させながら滑らかに、凹部３０４を凸部３０２に対して相対的に変位させることができる。
【００５８】
したがって、凸部３０２の側壁３０２Ｂ及び凹部３０４の内壁３０４Ｂを、凸部３０２と凹部３０４とを嵌合させるための案内部として機能させることができるので、本実施形態では、別途、案内部を設ける必要がなく、凸部３０２の突出寸法及び凹部３０４の陥没寸法が大きくなってしまうことを抑制できる。
【００５９】
また、本実施形態では、凸部３０２の側壁３０２Ｂ及び凹部３０４の内壁３０４Ｂは、共に中心軸Ｌ１に対して回転対称となる形状に構成されているので、凸部３０２及び凹部３０４を容易に樹脂成形することができる。
【００６０】
また、本実施形態では、バネ１０５によりスキャナ部２００がその揺動中心Ｏ１から離間する向きに変位することを抑制されるので、スキャナ部２００が開放ポジションから閉塞ポジションに揺動変位する際に、凸部３０２の側壁３０２Ｂのうち揺動中心Ｏ１から離れた部位、つまり凸部３０２の揺動端側の側壁部分Ａと、凹部３０４の揺動端側の内壁３０４Ｂとを確実に接触させることができる。したがって、凸部３０２が滑らかに凹部３０４に填め込むので、容易かつ確実にスキャナ部２００を位置決めすることができる。
【００６１】
また、本実施形態では、スキャナ部２００の揺動中心Ｏ１は、凸部３０２の下端部３０２Ｃより低い位置に設定されているので、凸部３０２及び凹部３０４の全体外形状を、図７及び図８等に示すように、開放ポジションから閉塞ポジションに向かうほど、外形寸法が拡大するような略テーパ状とすることができる。したがって、凸部３０２が確実に凹部３０４に填り込むように、凸部３０２を凹部３０４に誘い込むことができる。
【００６２】
また、本実施形態では、係合片３０７は、スキャナ部２００の揺動軸１０３Ａと平行な方向（左右方向）に開閉するように弾性変形する菱形部３０７Ａを有しているので、係合片３０７は、図１０（ｂ）に示すように、揺動軸１０３Ａと平行な方向において２箇所で穴部３０６と係合する構成となる。
【００６３】
このため、スキャナ部２００が開放ポジションから閉塞ポジションに揺動変位する際に、菱形部３０７Ａの左右両側２箇所に設定された略くの字状の係合部をほぼ同時に穴部３０６に接触させることができる。したがって、それら２箇所の係合部のうちいずれか一方のみに大きな衝撃力が作用してしまうことを抑制できるので、係合片３０７が早期に破損してしまうことを抑制できる。
【００６４】
４．発明特定事項と実施形態との対応関係
本実施形態では、位置決め機構３０１が特許請求の範囲に記載された位置決め手段に相当し、ロック機構３００が特許請求の範囲に記載されたロック手段に相当し、バネ１０５が特許請求の範囲に記載された弾性手段に相当する。
【００６５】
（その他の実施形態）
上述の実施形態では、凸部３０２及び凹部３０４は回転対称形状であったが、本発明はこれに限定されるものではない。
【００６６】
また、上述の実施形態では、凸部３０２、３０３がトップカバー１０２に設けられ、凹部３０４、３０５が原稿台２０１に設けられていたが、本発明はこれに限定されるものではなく、これとは逆に、凸部３０２、３０３を原稿台２０１に設け、凹部３０４、３０５とトップカバー１０２に設けてもよい。
【００６７】
また、上述の実施形態では、係合片３０７が凹部３０４に設けられ、穴部３０６が凸部３０２に設けられていたが、本発明はこれに限定されるものではなく、これとは逆に、係合片３０７を凸部３０２に設け、穴部３０６を凹部３０４に設けてもよい。
【００６８】
また、上述の実施形態では、位置決め機構３０１が排出トレイ１０１を挟んで左右両側に設けられていたが、本発明はこれに限定されるものではなく、凸部３０３及び凹部３０５を廃止してもよい。
【００６９】
また、上述の実施形態では、係合片３０７は弾性変形可能な菱形部３０７Ａを有する略パンタグラフ状のものであったが、本発明はこれに限定されるものではない。
また、本発明は、特許請求の範囲に記載された発明の趣旨に合致するものであればよく、上述の実施形態に限定されるものではない。
【符号の説明】
【００７０】
１…画像形成装置、１００…プリンタ部、１０１…排出トレイ、
１０２…トップカバー、１０３…ヒンジ機構、
１０３Ａ…揺動軸、１０４…アーム、１０４Ａ…案内溝、１０５…バネ、
２００…スキャナ部、２０１…原稿台、２０２Ａ…第１読取窓、
２０２Ｂ…第２読取窓、２０３…原稿カバー、２０３Ａ…ヒンジ、
２０４…原稿搬送機構、２０５…原稿トレイ、２０６…排出トレイ、
３００…ロック機構、３０１…位置決め機構、３０２…凸部、３０２Ａ…先端部、
３０２Ｂ…側壁、３０２Ｃ…下端部、３０３…凸部、３０４…凹部、３０４Ａ…底部、
３０４Ｂ…内壁、３０５…凹部、３０６…穴部、３０６Ａ…テーパ部、
３０７…係合片、３０７Ａ…菱形部。
【図１】
2010276781.tif 000003
【図２】
2010276781.tif 000004
【図３】
2010276781.tif 000005
【図４】
2010276781.tif 000006
【図５】
2010276781.tif 000007
【図６】
2010276781.tif 000008
【図７】
2010276781.tif 000009
【図８】
2010276781.tif 000010
【図９】
2010276781.tif 000011
【図１０】
2010276781.tif 000012